(57)【特許請求の範囲】
【請求項１】
ステアリングハンドル１及び操縦席２を有して搭乗運転する車体３前端のヒッチ４に、薬剤噴孔５を備える散布ブーム６を、側方へ張り出す散布位置Ａと、操縦席２横側へ回動させて前後方向に沿う収納位置Ｃとに切替可能に設けてなる防除機の散布ブーム取付装置において、
前記ヒッチ４を、前記車体３前部に搭載するエンジンＥの左右側方に立設するブラケット１４（１４）と、同ブラケット１４（１４）に上下回動自在に支持される上下一対の平行リンク１５，１５と、左右夫々の平行リンク１５，１５を前記車体３の前方で連結するヒッチマスト１８とで構成し、
前記ヒッチマスト１８には、前記平行リンク１５，１５を上下回動させる第一シリンダ２２と、左右方向に配するフレーム部材１７を設けると共に、同フレーム部材１７の左右両端部に、縦軸１９周りに前後回動自在に支持するアーム部材２３及び前記フレーム部材１７と同アーム部材２３との間を接続し且つ同アーム部材２３を回動させる第二シリンダ２９を設け、
更に前記アーム部材２３の回動基部に、前記散布ブーム６の収納位置Ｃにおいて左右方向に向くピン軸２４を設け、同軸２４周りに前記散布ブーム６を前記アーム部材２３に沿わせて上下回動自在に支持する一方、前記アーム部材２３の他端部に、前記散布ブーム６を載置させるホルダ２５と、同散布ブーム６を前記左右方向のピン軸２４周りに上動させる状態若しくは前記散布ブーム６の上面に係止させて前記ピン軸２４周りに上動させない状態とに切り替えるロックアーム２６を設けたことを特徴とする防除機の散布ブーム取付装置。
【発明の詳細な説明】
【技術分野】
【０００１】
この発明は、防除機における散布ブーム取付装置に関する。
【背景技術】
【０００２】
従来、防除機の散布ブーム取付装置には、ステアリングハンドル及び操縦席を有して搭乗運転する車体前部に、薬剤噴孔を備える散布ブームを、横外側方へ張り出す散布位置と、操縦席横側へ回動させて前後方向に沿う収納位置とに切替可能に設けてなるものが知られている。
【特許文献１】特開平３−２１３６４号
【発明の開示】
【発明が解決しようとする課題】
【０００３】
乗用トラクタに薬剤散布ブームを取付ける場合は、作業中に散布ブームを車体の左右側方へ張出させた散布位置と、非作業位置に収納する収納位置とに切替可能に構成されるが、この散布ブームを車体の横側前後方向に沿った姿勢に収納する形態では、この収納位置での散布ブームが操縦席における操縦者の乗降の邪魔になり易い。
【課題を解決するための手段】
【０００４】
そこで、この発明は、ステアリングハンドル１及び操縦席２を有して搭乗運転する車体３前端のヒッチ４に、薬剤噴孔５を備える散布ブーム６を、側方へ張り出す散布位置Ａと、操縦席２横側へ回動させて前後方向に沿う収納位置Ｃとに切替可能に設けてなる防除機の散布ブーム取付装置において、
前記ヒッチ４を、前記車体３前部に搭載するエンジンＥの左右側方に立設するブラケット１４（１４）と、同ブラケット１４（１４）に上下回動自在に支持される上下一対の平行リンク１５，１５と、左右夫々の平行リンク１５，１５を前記車体３の前方で連結するヒッチマスト１８とで構成し、
前記ヒッチマスト１８には、前記平行リンク１５，１５を上下回動させる第一シリンダ２２と、左右方向に配するフレーム部材１７を設けると共に、同フレーム部材１７の左右両端部に、縦軸１９周りに前後回動自在に支持するアーム部材２３及び前記フレーム部材１７と同アーム部材２３との間を接続し且つ同アーム部材２３を回動させる第二シリンダ２９を設け、
更に前記アーム部材２３の回動基部に、前記散布ブーム６の収納位置Ｃにおいて左右方向に向くピン軸２４を設け、同軸２４周りに前記散布ブーム６を前記アーム部材２３に沿わせて上下回動自在に支持する一方、前記アーム部材２３の他端部に、前記散布ブーム６を載置させるホルダ２５と、同散布ブーム６を前記左右方向のピン軸２４周りに上動させる状態若しくは前記散布ブーム６の上面に係止させて前記ピン軸２４周りに上動させない状態とに切り替えるロックアーム２６を設けたことを特徴とする防除機の散布ブーム取付装置とした。
【発明の効果】
【０００５】
薬剤を散布する作業時は、車体３のヒッチ４に散布ブーム６を装着した状態で、この散布ブーム６を第二シリンダ２９の駆動により左右横外側へ張出させた散布位置Ａにする。この散布位置Ａの散布ブーム６に薬液を送ることによって各噴孔５から薬剤散布が行われ、土壌面、乃至土壌面の作物等に薬剤が散布される。
【０００６】
薬剤の散布作業を行わないときは、散布ブーム６を車体３の横側に沿わせる収納位置Ｃに回動させる。このとき散布ブーム６は、車体３の前部から操縦席２の横側に亘って、車体側部に沿う状態となるが、ヒッチ４に備えた第一シリンダ２２の駆動によって、平行リンク１５，１５の動きを介して散布ブーム６が上下調整され、ブーム端部を成るべく高く上げる事無く操縦席２横側が広く開かれて乗降し易い状態となる。
また前記第一シリンダ２２、第二シリンダ２９を駆動させない状態でも、前記ロックアーム２６による散布ブーム６の係止を解除すると、同ブーム６をピン軸２４周りに上方へ回動することができるので、前記同様、操縦席２横側を広く開けて乗降し易い状態となる。
【発明を実施するための最良の形態】
【０００７】
トラクタ車体３は、ステアリングハンドル１の操作で操向自在の前車輪７と後車輪８とを、前部に搭載のエンジンＥで駆動して走行しうる四輪駆動操向形態で、ステアリングハンドル１の下方のフロアステップ９の後側部に操縦席２を配置し、この後部には液タンク１０を搭載し、後部下側に配置のポンプＰの駆動によって、この液タンク１０から吸入する薬液をホース１１によってパイプ材からなる散布ブーム６へ圧送できる。１２は操作盤で、操縦席２の一側に設けられ、該ポンプＰの運転、停止や、ホース１１の薬液の供給、停止、及び、散布ブーム６の位置切替等を行う操作具が配置される。１３は前記フロアステップ９の外側に配置するステップである。
【０００８】
車体３の前端に設けられるヒッチ４は、車体３前端に左右一対のヒッチブラケット１４を一体とし、この各ヒッチブラケット１４には上下一対の平行リンク１５の後端を上下回動自在にピン１６で連結し、又、これらの平行リンク１５の前端部は、散布ブーム６を取付けるブーム取付フレーム１７と一体のヒッチマスト１８に対してピン４９で上下回動自在に連結し、これら平行リンク１５に一体の連結杆２０と、ヒッチマスト１８上に一体の取付アーム２１との間に亘ってギヤドモータＭ１駆動で螺子回動により伸縮自在のシリンダー２２（第一シリンダ）を設け、このシリンダー２２の伸縮によってブーム取付フレーム１７を上下調節できる。
【０００９】
ブーム取付フレーム１７は、左右両端にほぼ上下方向のピン１９の回りに横外側方向と後側方向との間Ｄ１を回動自在のホルダアーム２３を設け、このホルダアーム２３に対してほぼ水平方向のピン２４の回りに上下Ｄ２回動自在に散布ブーム６の基部を装着する。なお、この散布ブーム６のピン２４回りの上下Ｄ２回動できる構成は、左右のホルダアーム２３のうちいずれか片側にのみ設ける形態とするもよい。
【００１０】
前記ホルダアーム２３の先端部には、この散布ブーム６の下方回動位置を係止するホルダー２５を設けると共に、ベルクランク状のロックアーム２６を前後回動自在に枢着２７し、このロックアーム２６を操作レバー３２によるワイヤー２８連動で前側へ回動させると散布ブーム６の上面を係止してホルダー２５との間に固定でき、ロックアーム２６を散布ブーム６上から側方へ回動させると散布ブーム６の係止を外して、散布ブーム６を手で上方へ回動させることができる。
【００１１】
又、前記ホルダアーム２３及びこれに保持される散布ブーム６のピン１９回りの回動は、ブーム取付フレーム１７とホルダアーム２３との間に亘って設けられる螺子回動で伸縮自在なシリンダー２９（第二シリンダ）のギヤドモータＭ２によって行われ、散布ブーム６を左右外側方へ張出させる散布位置Ａと、車体３の横側に沿わせる収納位置Ｃとに切替回動させることができる。
【００１２】
前記ブーム取付フレーム１７には、センタ散布ブーム３０が固定され、下側に沿って噴孔３１を配置している。又、このセンタ散布ブーム３０の左右外側部に位置する延長線上に沿うようにサイド散布ブーム６が配置される。このサイド散布ブーム６の下側に沿って噴孔５が配置される。これら各散布ブーム３０，６には、前記ポンプＰ及びバルブ等を介するホース１１が連結され、前記薬液タンク１０からの薬液の圧送により各噴孔３１，５から下方に向けて薬液噴霧を行うことができる。このとき、ロックアーム２６は散布ブーム６を係止してホルダー２５に浮上しないように固定している。
【００１３】
薬液散布作業時は、散布ブーム６をピン１９の回りに回動させて、横方向へ張り出させた散布位置Ａとして、薬液を各散布ブーム３０，６に送って各噴孔３１，５から噴霧させて消毒することができる。非作業時は、左右の散布ブーム６を、モータＭ２の駆動によってシリンダー２９の伸縮によりピン１９の回りに回動させて、車体３の横側に沿わせる収納位置Ｃに回動させる。
【００１４】
このような散布ブーム６の収納位置Ｃでは、車体３前部上のダッシュボード乃至ハンドルポスト部の横側から操縦席２の横側に亘って散布ブーム６が接近しているため、操縦者が乗降し難い。このため、操縦者が乗降するときは、操作レバー３２によってワイヤー２８連動でロックアーム２６を散布ブーム６上から側方へ回動させる。ロックアーム２６をロック解除した状態で、散布ブーム６を上方Ｄ２へ押上げると操縦席２の横側が広く開かれて、操縦者は容易に乗降できる。
【図面の簡単な説明】
【００１５】
【図１】散布ブーム部の平面図と、側面図。
【図２】その斜視図。
【図３】全体の側面図。
【図４】その平面図。
【符号の説明】
【００１６】
Ａ  散布位置
Ｂ  開き位置
Ｃ  収納位置
Ｅ  エンジン
１  ステアリングハンドル
２  操縦席
３  車体
４  ヒッチ
５  噴孔
６  散布ブーム
１４  ブラケット
１５  平行リンク
１７  フレーム部材（ブーム取付フレーム）
１８  ヒッチマスト
１９  軸（ピン）
２２  第一シリンダ
２３  アーム部材（ホルダーアーム）
２４  ピン軸（ピン）
２５  ホルダー
２６  ロックアーム
２９  第二シリンダ
【図１】
0003722147.tif 000002
【図２】
0003722147.tif 000003
【図３】
0003722147.tif 000004
【図４】
0003722147.tif 000005